【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
遠位部分および近位部分を有しているチューブ状部材を備えている血管内プロテーゼ送り届けデバイスであり、前記遠位部分は、複数の周囲リングによって定められた多孔表面を有しており、複数の隣接対の周囲リングは、少なくとも一つの縦ストラットによって相互連結されており、前記多孔表面は、前記近位部分から前記遠位部分への方向に、単一の周囲リングの反対側に連結された縦ストラットの間に縦ストラット周囲幅の減少勾配を備えている、血管内プロテーゼ送り届けデバイス。
【請求項２】
各周囲リングは、交互の山と谷を備えている、請求項１に記載の血管内プロテーゼ送り届けデバイス。
【請求項３】
前記少なくとも一つの縦ストラットは、第一の周囲リングの第一の谷を、第一の周囲リングに隣接している第二の谷に第二の周囲リングに連結している、請求項２に記載の血管内プロテーゼ送り届けデバイス。
【請求項４】
前記第一の周囲リングと前記第二の周囲リングはおのおの、二対のみの交互の山と谷を備えている、請求項３に記載の血管内プロテーゼ送り届けデバイス。
【請求項５】
各谷に対して縦ストラットを備えている、請求項２に記載の血管内プロテーゼ送り届けデバイス。
【請求項６】
前記第一の周囲リングまたは前記第二の周囲リングの各対の交互の山と谷に対して単一縦ストラットだけを備えている、請求項４に記載の血管内プロテーゼ送り届けデバイス。
【請求項７】
（ｉ）前記第一の周囲リングと前記第二の周囲リングはおのおの、一対の交互の山と谷を備えており、（ｉｉ）前記第一の周囲リングと前記第二の周囲リングを二つの縦ストラットが相互連結している、請求項３に記載の血管内プロテーゼ送り届けデバイス。
【請求項８】
（ｉ）前記複数の周囲リングは、第一の周囲リングと、前記第一の周囲リングから軸方向に離間した第二の周囲リングと、前記第二の周囲リングから軸方向に離間した第三の周囲リングを備えているおり、（ｉｉ）前記第一の周囲リングと前記第三の周囲リングは、前記チューブ状部材の直径の約１７５％から約２２５％までの範囲内にある距離で離間している、請求項２に記載の血管内プロテーゼ送り届けデバイス。
【請求項９】
（ｉ）前記多孔表面は、近位多孔部分と、前記近位多孔部分の遠位に配置された遠位多孔部分を有しており、（ｉｉ）本血管内プロテーゼ送り届けデバイスは、前記遠位多孔部分に配置された第一の縦ストラットと、前記近位多孔部分に配置された第二の縦ストラットを備えており、ただし、前記第一の縦ストラットの第一の縦ストラット周囲幅は、前記第二の縦ストラットの第二の縦ストラット周囲幅よりも小さい、請求項１に記載の血管内プロテーゼ送り届けデバイス。
【請求項１０】
前記遠位多孔部分に配置された第一の周囲リングと、前記近位多孔表面に配置された第二の周囲リングを備えており、前記第一の周囲リングの第一の軸方向幅は、前記第二の周囲リングの第二の軸方向幅よりも小さい、請求項９に記載の血管内プロテーゼ送り届けデバイス。
【請求項１１】
前記遠位多孔部分に配置された第一の一対の隣接周囲リングと、前記近位多孔表面に配置された第二の一対の周囲リングを備えており、ただし、前記第一の一対の隣接周囲リングの間の第一の最小距離は、前記第二の一対の隣接周囲リングの間の第二の最小距離よりも大きい、請求項９に記載の血管内プロテーゼ送り届けデバイス。
【請求項１２】
前記遠位多孔部分に配置された第一の一対の隣接周囲リングと、前記近位多孔表面に配置された第二の一対の隣接周囲リングを備えており、ただし、前記第一の一対の隣接周囲リングの間の第一の最大距離は、前記第二の一対の隣接周囲リングの間の第二の最大距離よりも大きい、請求項９に記載の血管内プロテーゼ送り届けデバイス。
【請求項１３】
前記遠位部分に取り付けられた血管内プロテーゼ連結部分をさらに備えている、請求項１に記載の血管内プロテーゼ送り届けデバイス。
【請求項１４】
前記血管内プロテーゼ連結部分は、血管内プロテーゼへの連結のための中間セクションおよび遠位セクションを備えている少なくとも一つの細長いセクションを備えている、請求項１３に記載の血管内プロテーゼ送り届けデバイス。
【請求項１５】
前記中間セクションおよび前記遠位セクションは、互いに対して角度が付けられている、請求項１４に記載の血管内プロテーゼ送り届けデバイス。
【請求項１６】
前記血管内プロテーゼ連結部分は、第一の細長いセクションと第二の細長いセクションを備えている一対の細長いセクションを備えている、請求項１４に記載の血管内プロテーゼ送り届けデバイス。
【請求項１７】
前記第一の細長いセクションは、それの遠位端に配置された血管内プロテーゼ第一取り付け部分を備えている、請求項１６に記載の血管内プロテーゼ送り届けデバイス。
【請求項１８】
前記血管内プロテーゼ第一取り付け部分は、血管内プロテーゼに配置された第一の雄雌連結システムの第二の半体を受けるための前記第一の雄雌連結システムの第一の半体を備えている、請求項１７に記載の血管内プロテーゼ送り届けデバイス。
【請求項１９】
前記第一の雄雌連結システムの前記第一の半体は、第一の雌部分を備えており、前記第一の雄雌連結システムの前記第二の半体は、第一の雄部分を備えている、請求項１８に記載の血管内プロテーゼ送り届けデバイス。
【請求項２０】
前記第一の雄雌連結システムの前記第一の半体と前記第二の半体は、第一の血管内プロテーゼ取り外し部材を受けるように構成されている、請求項１８に記載の血管内プロテーゼ送り届けデバイス。
【請求項２１】
前記第一の血管内プロテーゼ取り外し部材は、第一のワイヤー部材を備えている、請求項２０に記載の血管内プロテーゼ送り届けデバイス。
【請求項２２】
前記第一の細長い部分と前記第二の細長い部分は、実質的に等しい縦全長を有している、請求項１６に記載の血管内プロテーゼ送り届けデバイス。
【請求項２３】
遠位部分および近位部分を有しているチューブ状部材を備えている血管内プロテーゼ送り届けデバイスであり、前記遠位部分は、複数の周囲リングによって定められた多孔表面を有しており、複数の隣接対の周囲リングは、少なくとも一つの縦ストラットによって相互連結されており、前記多孔表面は、前記近位部分から前記遠位部分への方向に、単一の周囲リングの反対側に連結された縦ストラットの間に縦ストラット周囲幅の減少勾配を備えており、前記遠位部分に取り付けられた血管内プロテーゼ連結部分をさらに備えている、血管内プロテーゼ送り届けデバイス。
【請求項２４】
（ｉ）各周囲リングは、交互の山と谷を備えており、（ｉｉ）前記少なくとも一つの縦ストラットは、第一の周囲リングの第一の谷を、第一の周囲リングに隣接している第二の谷に第二の周囲リングに連結している、請求項２３に記載の血管内プロテーゼ送り届けデバイス。
【請求項２５】
前記血管内プロテーゼ連結部分は、第一の細長いセクションと第二の細長いセクションを備えており、各細長いセクションは、血管内プロテーゼへの連結のための中間セクションおよび遠位セクションを備えており、前記第一の細長いセクションは、それの遠位端に配置された血管内プロテーゼ第一取り付け部分を備えており、前記血管内プロテーゼ第一取り付け部分は、前記血管内プロテーゼに配置された第一の雄雌連結システムの第二の半体を受けるための前記第一の雄雌連結システムの第一の半体を備えている、請求項２３に記載の血管内プロテーゼ送り届けデバイス。
【請求項２６】
遠位部分および近位部分を有しているチューブ状部材を備えている血管内プロテーゼ送り届けデバイスであり、前記遠位部分は、複数の周囲リングによって定められた多孔表面を有しており、複数の隣接対の周囲リングは、少なくとも一つの縦ストラットによって相互連結されており、前記多孔表面は、前記近位部分から前記遠位部分への方向に、単一の周囲リングの反対側に連結された縦ストラットの間に縦ストラット周囲幅の減少勾配を備えているおり、前記遠位部分に取り付けられた血管内プロテーゼ連結部分をさらに備えており、
（ｉ）各周囲リングは、交互の山と谷を備えており、
（ｉｉ）前記少なくとも一つの縦ストラットは、第一の周囲リングの第一の谷を、第一の周囲リングに隣接している第二の谷に第二の周囲リングに連結しており、
（ｉｉｉ）前記第一の周囲リングと前記第二の周囲リングはおのおの、二対のみの交互の山と谷を備えている、血管内プロテーゼ送り届けデバイス。
【請求項２７】
前記血管内プロテーゼ連結部分は、第一の細長いセクションと第二の細長いセクションを備えており、各細長いセクションは、血管内プロテーゼへの連結のための中間セクションおよび遠位セクションを備えており、前記第一の細長いセクションは、それの遠位端に配置された血管内プロテーゼ第一取り付け部分を備えており、前記血管内プロテーゼ第一取り付け部分は、前記血管内プロテーゼに配置された第一の雄雌連結システムの第二の半体を受けるための前記第一の雄雌連結システムの第一の半体を備えている、請求項２６に記載の血管内プロテーゼ送り届けデバイス。
【請求項２８】
遠位部分および近位部分を有しているチューブ状部材を備えている血管内プロテーゼ送り届けデバイスであり、前記遠位部分は、複数の周囲リングによって定められた多孔表面を有しており、複数の隣接対の周囲リングは、少なくとも一つの縦ストラットによって相互連結されており、前記多孔表面は、前記近位部分から前記遠位部分への方向に、単一の周囲リングの反対側に連結された縦ストラットの間に縦ストラット周囲幅の減少勾配を備えており、前記遠位部分に取り付けられた血管内プロテーゼ連結部分をさらに備えており、前記血管内プロテーゼ連結部分は、第一の細長いセクションと第二の細長いセクションを備えており、各細長いセクションは、血管内プロテーゼへの連結のための中間セクションおよび遠位セクションを備えており、前記第一の細長いセクションは、それの遠位端に配置された血管内プロテーゼ第一取り付け部分を備えており、前記血管内プロテーゼ第一取り付け部分は、前記血管内プロテーゼに配置された第一の雄雌連結システムの第二の半体を受けるための前記第一の雄雌連結システムの第一の半体を備えている、血管内プロテーゼ送り届けデバイス。
【請求項２９】
（ｉ）前記多孔表面は、近位多孔部分と、前記近位多孔部分の遠位に配置された遠位多孔部分を有しており、（ｉｉ）本血管内プロテーゼ送り届けデバイスは、前記遠位多孔部分に配置された第一の縦ストラットと、前記近位多孔部分に配置された第二の縦ストラットを備えており、ただし、前記第一の縦ストラットの第一の縦ストラット周囲幅は、前記第二の縦ストラットの第二の縦ストラット周囲幅よりも小さい、請求項２８に記載の血管内プロテーゼ送り届けデバイス。
【請求項３０】
各周囲リングは、交互の山と谷を備えており、前記少なくとも一つの縦ストラットは、第一の周囲リングの第一の谷を、第一の周囲リングに隣接している第二の谷に第二の周囲リングに連結している、請求項１に定められた血管内プロテーゼ送り届けデバイス。
【手続補正２】
【補正対象書類名】明細書
【補正対象項目名】０３３１
【補正方法】変更
【補正の内容】
【０３３１】
この中において述べられたすべての刊行物、特許または特許出願は、あたかも各刊行物、特許または特許出願が参照によってその全体が明確にまた個々に示されるように、参照によってそれらの全体が同じ程度に組み込まれる。
以下に、本願出願の当初の特許請求の範囲に記載された発明を付記する。
［１］  遠位部分および近位部分を有しているチューブ状部材を備えている血管内プロテーゼ送り届けデバイスであり、前記遠位部分は、複数の周囲リングによって定められた多孔表面を有しており、複数の隣接対の周囲リングは、少なくとも一つの縦ストラットによって相互連結されており、前記多孔表面は、前記近位部分から前記遠位部分への方向に、単一の周囲リングの反対側に連結された縦ストラットの間に縦ストラット周囲幅の減少勾配を備えている、血管内プロテーゼ送り届けデバイス。
［２］  各周囲リングは、交互の山と谷を備えている、［１］に定められた血管内プロテーゼ送り届けデバイス。
［３］  前記少なくとも一つの縦ストラットは、第一の周囲リングの第一の谷を、第一の周囲リングに隣接している第二の谷に第二の周囲リングに連結している、［２］に定められた血管内プロテーゼ送り届けデバイス。
［４］  前記少なくとも一つの縦ストラットは、前記第一の谷の中間点に連結している、［３］に定められた血管内プロテーゼ送り届けデバイス。
［５］  前記少なくとも一つの縦ストラットは、前記第二の谷の中間点に連結している、［３］に定められた血管内プロテーゼ送り届けデバイス。
［６］  前記少なくとも一つの縦ストラットは、（ｉ）前記第一の谷の中間点と（ｉｉ）前記第二の谷の中間点に連結している、［３］に定められた血管内プロテーゼ送り届けデバイス。
［７］  前記第一の周囲リングと前記第二の周囲リングはおのおの、少なくとも一対の交互の山と谷を備えている、［３］〜［６］のいずれか一つに定められた血管内プロテーゼ送り届けデバイス。
［８］  前記第一の周囲リングと前記第二の周囲リングはおのおの、少なくとも二対の交互の山と谷を備えている、［３］〜［６］のいずれか一つに定められた血管内プロテーゼ送り届けデバイス。
［９］  各山に対して縦ストラットを備えている、［２］〜［８］のいずれか一つに定められた血管内プロテーゼ送り届けデバイス。
［１０］  各谷に対して縦ストラットを備えている、［２］〜［８］のいずれか一つに定められた血管内プロテーゼ送り届けデバイス。
［１１］  第一の周囲リングまたは前記第二の周囲リングの各対の交互の山と谷に対して縦ストラットを備えている、［７］〜［８］のいずれか一つに定められた血管内プロテーゼ送り届けデバイス。
［１２］  前記第一の周囲リングと前記第二の周囲リングはおのおの、一対の交互の山と谷を備えている、［３］〜［６］のいずれか一つに定められた血管内プロテーゼ送り届けデバイス。
［１３］  前記第一の周囲リングと前記第二の周囲リングを二つの縦ストラットが相互連結している、［１２］に定められた血管内プロテーゼ送り届けデバイス。
［１４］  前記複数の周囲リングは、第一の周囲リングと、前記第一の周囲リングから軸方向に離間した第二の周囲リングと、前記第二の周囲リングから軸方向に離間した第三の周囲リングを備えている、［２］〜［１３］のいずれか一つに定められた血管内プロテーゼ送り届けデバイス。
［１５］  前記第一の周囲リングと前記第三の周囲リングは、前記チューブ状部材の直径の約１００％から約３００％までの範囲内にある距離で離間している、［１４］に定められた血管内プロテーゼ送り届けデバイス。
［１６］  前記第一の周囲リングと前記第三の周囲リングは、前記チューブ状部材の直径の約１７５％から約２２５％までの範囲内にある距離で離間している、［１４］に定められた血管内プロテーゼ送り届けデバイス。
［１７］  前記第一の周囲リングと前記第三の周囲リングは、前記チューブ状部材の直径の約２００％である距離で離間している、［１４］に定められた血管内プロテーゼ送り届けデバイス。
［１８］  前記多孔表面は、近位多孔部分と、を有していて、前記近位多孔部分の遠位に配置された遠位多孔部分を有している、［１］〜［１７］のいずれか一つに定められた血管内プロテーゼ送り届けデバイス。
［１９］  前記遠位多孔部分に配置された第一の縦ストラットと、前記近位多孔部分に配置された第二の縦ストラットを備えており、ただし、前記第一の縦ストラットの第一の縦ストラット周囲幅は、前記第二の縦ストラットの第二の縦ストラット周囲幅よりも小さい、［１８］に定められた血管内プロテーゼ送り届けデバイス。
［２０］  前記第一の縦ストラット周囲幅と前記第二の縦ストラット周囲幅はおのおの、約０．００１０ｉｎから約０．０５００ｉｎまでの範囲内にある、［１９］に定められた血管内プロテーゼ送り届けデバイス。
［２１］  前記第一の縦ストラット周囲幅と前記第二の縦ストラット周囲幅はおのおの、約０．００３５ｉｎから約０．０３００ｉｎまでの範囲内にある、［１９］に定められた血管内プロテーゼ送り届けデバイス。
［２２］  前記第一の縦ストラット周囲幅と前記第二の縦ストラット周囲幅はおのおの、約０．００４５ｉｎから約０．０１５０ｉｎまでの範囲内にある、［１９］に定められた血管内プロテーゼ送り届けデバイス。
［２３］  前記第一の縦ストラット周囲幅は、約０．００１０ｉｎよりも大きく、前記第二の縦ストラット周囲幅は、約０．０５００ｉｎよりも小さい、［１９］〜［２２］のいずれか一つに定められた血管内プロテーゼ送り届けデバイス。
［２４］  前記第一の縦ストラット周囲幅は、約０．００３５ｉｎよりも大きく、前記第二の縦ストラット周囲幅は、約０．０３００ｉｎよりも小さい、［１９］〜［２２］のいずれか一つに定められた血管内プロテーゼ送り届けデバイス。
［２５］  前記第一の縦ストラット周囲幅は、約０．００４５ｉｎよりも大きく、前記第二の縦ストラット周囲幅は、約０．０１５０ｉｎよりも小さい、［１９］〜［２２］のいずれか一つに定められた血管内プロテーゼ送り届けデバイス。
［２６］  前記遠位多孔部分に配置された第一の周囲リングと、前記近位多孔表面に配置された第二の周囲リングを備えており、前記第一の周囲リングの第一の軸方向幅は、前記第二の周囲リングの第二の軸方向幅よりも小さい、［１８］〜［２５］のいずれか一つに定められた血管内プロテーゼ送り届けデバイス。
［２７］  前記第一の軸方向幅と前記第二の軸方向幅はおのおの、約０．００１０ｉｎから約０．０４５０ｉｎまでの範囲内にある、［２６］に定められた血管内プロテーゼ送り届けデバイス。
［２８］  前記第一の軸方向幅と前記第二の軸方向幅はおのおの、約０．００４０ｉｎから約０．０３２５ｉｎまでの範囲内にある、［２６］に定められた血管内プロテーゼ送り届けデバイス。
［２９］  前記第一の軸方向幅と前記第二の軸方向幅はおのおの、約０．００５０ｉｎから約０．０２５０ｉｎまでの範囲内にある、［２６］に定められた血管内プロテーゼ送り届けデバイス。
［３０］  前記第一の軸方向幅は約０．００１０ｉｎよりも大きく、前記第二の軸方向幅は約０．０４５０ｉｎよりも小さい、［２６］〜［２９］のいずれか一つに定められた血管内プロテーゼ送り届けデバイス。
［３１］  前記第一の軸方向幅は約０．００４０ｉｎよりも大きく、前記第二の軸方向幅は約０．０３２５ｉｎよりも小さい、［２６］〜［２９］のいずれか一つに定められた血管内プロテーゼ送り届けデバイス。
［３２］  前記第一の軸方向幅は約０．００５０ｉｎよりも大きく、前記第二の軸方向幅は約０．０２５０ｉｎよりも小さい、［２６］〜［２９］のいずれか一つに定められた血管内プロテーゼ送り届けデバイス。
［３３］  前記遠位多孔部分に配置された第一の一対の隣接周囲リングと、前記近位多孔表面に配置された第二の一対の周囲リングを備えており、ただし、前記第一の一対の隣接周囲リングの間の第一の最小距離は、前記第二の一対の隣接周囲リングの間の第二の最小距離よりも大きい、［１８］〜［３２］のいずれか一つに定められた血管内プロテーゼ送り届けデバイス。
［３４］  前記第一の最小距離と前記第二の最小距離は両方とも、約０．００１０ｉｎから約０．０２５０ｉｎまでの範囲内にある、［３３］に定められた血管内プロテーゼ送り届けデバイス。
［３５］  前記第一の最小距離と前記第二の最小距離は両方とも、約０．００２５ｉｎから約０．０１９０ｉｎまでの範囲内にある、［３３］に定められた血管内プロテーゼ送り届けデバイス。
［３６］  前記第一の最小距離と前記第二の最小距離は両方とも、約０．００４０ｉｎから約０．０１５０ｉｎまでの範囲内にある、［３３］に定められた血管内プロテーゼ送り届けデバイス。
［３７］  前記第一の最小距離は、約０．０２５０ｉｎよりも小さく、前記第二の最小距離は、約０．００１０ｉｎよりも大きい、［３３］〜［３６］のいずれか一つに定められた血管内プロテーゼ送り届けデバイス。
［３８］  前記第一の最小距離は、約０．０１９０ｉｎよりも小さく、前記第二の最小距離は、約０．００２５ｉｎよりも大きい、［３３］〜［３６］のいずれか一つに定められた血管内プロテーゼ送り届けデバイス。
［３９］  前記第一の最小距離は、約０．０１５０ｉｎよりも小さく、前記第二の最小距離は、約０．００４０ｉｎよりも大きい、［３３］〜［３６］のいずれか一つに定められた血管内プロテーゼ送り届けデバイス。
［４０］  前記遠位多孔部分に配置された第一の一対の隣接周囲リングと、前記近位多孔表面に配置された第二の一対の隣接周囲リングを備えており、ただし、前記第一の一対の隣接周囲リングの間の第一の最大距離は、前記第二の一対の隣接周囲リングの間の第二の最大距離よりも大きい、［１８］〜［３９］のいずれか一つに定められた血管内プロテーゼ送り届けデバイス。
［４１］  前記第一の最大距離と前記第二の最大距離は両方とも、約０．００５０ｉｎから約０．０４００ｉｎまでの範囲内にある、［４０］に定められた血管内プロテーゼ送り届けデバイス。
［４２］  前記第一の最大距離と前記第二の最大距離は両方とも、約０．００７５ｉｎから約０．０３６５ｉｎまでの範囲内にある、［４０］に定められた血管内プロテーゼ送り届けデバイス。
［４３］  前記第一の最大距離と前記第二の最大距離は両方とも、約０．００９０ｉｎから約０．０３３０ｉｎまでの範囲内にある、［４０］に定められた血管内プロテーゼ送り届けデバイス。
［４４］  前記第一の最小距離は、約０．０４００ｉｎよりも小さく、前記第二の最小距離は、約０．００５０ｉｎよりも大きい、［４０］〜［４３］のいずれか一つに定められた血管内プロテーゼ送り届けデバイス。
［４５］  前記第一の最小距離は、約０．０３６５ｉｎよりも小さく、前記第二の最小距離は、約０．００７５ｉｎよりも大きい、［４０］〜［４３］のいずれか一つに定められた血管内プロテーゼ送り届けデバイス。
［４６］  前記第一の最小距離は、約０．０３３０ｉｎよりも小さく、前記第二の最小距離は、約０．００９０ｉｎよりも大きい、［４０］〜［４３］のいずれか一つに定められた血管内プロテーゼ送り届けデバイス。
［４７］  前記遠位部分に取り付けられた血管内プロテーゼ連結部分をさらに備えている、［１］〜［４６］のいずれか一つに定められた血管内プロテーゼ送り届けデバイス。
［４８］  前記血管内プロテーゼ連結部分は、前記血管内プロテーゼへの連結のための中間セクションおよび遠位セクションを備えている少なくとも一つの細長いセクションを備えている、［４７］に定められた血管内プロテーゼ送り届けデバイス。
［４９］  前記中間セクションおよび前記遠位セクションの少なくとも一つは、前記血管内プロテーゼ送り届けデバイスの縦軸に対して角度が付けられている、［４７］に定められた血管内プロテーゼ送り届けデバイス。
［５０］  前記中間セクションおよび前記遠位セクションは両方とも、前記血管内プロテーゼ送り届けデバイスの縦軸に対して角度が付けられている、［４７］に定められた血管内プロテーゼ送り届けデバイス。
［５１］  前記中間セクションおよび前記遠位セクションは、互いに対して角度が付けられている、［４８］〜［５０］のいずれか一つに定められた血管内プロテーゼ送り届けデバイス。
［５２］  前記血管内プロテーゼ連結部分は、第一の細長いセクションと第二の細長いセクションを備えている一対の細長いセクションを備えている、［４８］に定められた血管内プロテーゼ送り届けデバイス。
［５３］  前記第一の細長いセクションは、それの遠位端に配置された血管内プロテーゼ第一取り付け部分を備えている、［５２］に定められた血管内プロテーゼ送り届けデバイス。
［５４］  前記血管内プロテーゼ第一取り付け部分は、血管内プロテーゼに配置された第一の雄雌連結システムの第二の半体を受けるための前記第一の雄雌連結システムの第一の半体を備えている、［５３］に定められた血管内プロテーゼ送り届けデバイス。
［５５］  前記第一の雄雌連結システムの前記第一の半体は、第一の雄部分を備えている、［５３］に定められた血管内プロテーゼ送り届けデバイス。
［５６］  前記第一の雄雌連結システムの前記第二の半体は、第一の雌部分を備えている、［５４］〜［５５］のいずれか一つに定められた血管内プロテーゼ送り届けデバイス。
［５７］  前記第一の雄雌連結システムの前記第一の半体は、第一の雌部分を備えている、［５４］に定められた血管内プロテーゼ送り届けデバイス。
［５８］  前記第一の雄雌連結システムの前記第二の半体は、第一の雄部分を備えている、［５４］または［５７］のいずれか一つに定められた血管内プロテーゼ送り届けデバイス。
［５９］  前記第一の雄雌連結の前記第一の半体は、第一の血管内プロテーゼ取り外し部材を受けるように構成されている、［５４］〜［５８］のいずれか一つに定められた血管内プロテーゼ送り届けデバイス。
［６０］  前記第一の雄雌連結の前記第二の半体は、第一の血管内プロテーゼ取り外し部材を受けるように構成されている、［５４］〜［５８］のいずれか一つに定められた血管内プロテーゼ送り届けデバイス。
［６１］  前記第一の雄雌連結の前記第一の半体と前記第二の半体は、第一の血管内プロテーゼ取り外し部材を受けるように構成されている、［５４］〜［５８］のいずれか一つに定められた血管内プロテーゼ送り届けデバイス。
［６２］  前記第一の血管内プロテーゼ取り外し部材は、第一のワイヤー部材を備えている、［５９］〜［６１］のいずれか一つに定められた血管内プロテーゼ送り届けデバイス。
［６３］  前記第二の細長いセクションは、それの遠位端に配置された血管内プロテーゼ第二取り付け部分を備えている、［５２］〜［６２］のいずれか一つに定められた血管内プロテーゼ送り届けデバイス。
［６４］  前記血管内プロテーゼ第二取り付け部分は、血管内プロテーゼに配置された第二の雄雌連結システムの第二の半体を受けるための前記第二の雄雌連結システムの第一の半体を備えている、［６３］に定められた血管内プロテーゼ送り届けデバイス。
［６５］  前記第二の雄雌連結システムの前記第一の半体は、第二の雄部分を備えている、［６４］に定められた血管内プロテーゼ送り届けデバイス。
［６６］  前記第二の雄雌連結システムの前記第二の半体は、第二の雌部分を備えている、［６４］〜［６５］のいずれか一つに定められた血管内プロテーゼ送り届けデバイス。
［６７］  前記第二の雄雌連結システムの前記第一の半体は、第二の雌部分を備えている、［６４］に定められた血管内プロテーゼ送り届けデバイス。
［６８］  前記第二の雄雌連結システムの前記第二の半体は、第二の雄部分を備えている、［６４］または［６７］のいずれか一つに定められた血管内プロテーゼ送り届けデバイス。
［６９］  前記第二の雄雌連結の前記第一の半体は、第二の血管内プロテーゼ取り外し部材を受けるように構成されている、［６４］〜［６８］のいずれか一つに定められた血管内プロテーゼ送り届けデバイス。
［７０］  前記第二の雄雌連結の前記第二の半体は、第二の血管内プロテーゼ取り外し部材を受けるように構成されている、［６４］〜［６８］のいずれか一つに定められた血管内プロテーゼ送り届けデバイス。
［７１］  前記第一の半体と前記第二の雄雌連結の前記第二の半体は、第二の血管内プロテーゼ取り外し部材を受けるように構成されている、［６４］〜［６８］のいずれか一つに定められた血管内プロテーゼ送り届けデバイス。
［７２］  前記血管内プロテーゼ取り外し部材は、ワイヤー部材を備えている、［６９］〜［７１］のいずれか一つに定められた血管内プロテーゼ送り届けデバイス。
［７３］  前記第一の細長い部分は、前記第二の細長い部分よりも大きい縦全長を有している、［５２］〜［７２］のいずれか一つに定められた血管内プロテーゼ送り届けデバイス。
［７４］  前記第二の細長い部分は、前記第一の細長い部分よりも大きい縦全長を有している、［５２］〜［７２］のいずれか一つに定められた血管内プロテーゼ送り届けデバイス。
［７５］  前記第一の細長い部分と前記第二の細長い部分は、実質的に等しい縦全長を有している、［５２］〜［７３］のいずれか一つに定められた血管内プロテーゼ送り届けデバイス。